(57)【要約】【課題】車両のドア部材の閉操作と施錠操作とを同時かつ容易に行うこと。【解決手段】車両用ドア制御装置１０は、車両の出入り口に設けられたドア部材の開閉を制御する。ドア部材の少なくとも一部は、当該ドア部材の開閉を補助する補助力を発生する開閉補助機構７０を有している。開閉補助機構７０を有するドア部材の車外側には、ドア部材の閉作動を指示する閉作動指示と、ドア部材の閉作動および施錠を指示する閉施錠指示と、を選択的に指示可能な選択指示部３００が設けられている。【選択図】図１
2018145643.tif 000002
【特許請求の範囲】
【請求項１】
車両の出入り口に設けられたドア部材の開閉を制御する車両用ドア制御装置であって、
前記ドア部材の車外側に、前記ドア部材の閉作動を指示する閉作動指示と、前記ドア部材の閉作動および施錠を指示する閉施錠指示と、を選択的に指示可能な選択指示部を備えることを特徴とする車両用ドア制御装置。
【請求項２】
前記選択指示部は単一のスイッチを有し、前記スイッチの操作方法の違いにより前記閉作動指示および前記閉施錠指示を選択的に指示可能である、
ことを特徴とする請求項１記載の車両用ドア制御装置。
【請求項３】
前記スイッチの操作方法は前記スイッチの押下回数であり、
前記選択指示部は、前記スイッチが１回押下された場合は前記閉作動指示が、前記スイッチを２回押下された場合は前記閉施錠指示が、それぞれ選択されたものとして指示を受け付ける、
ことを特徴とする請求項２記載の車両用ドア制御装置。
【請求項４】
前記閉作動指示がなされた場合の前記閉作動の実施中と、前記閉施錠指示がなされた場合の前記閉作動および前記施錠の実施中とで、異なる作動音を出力する音声出力部を更に備えることを特徴とする請求項１から３のいずれか１項記載の車両用ドア制御装置。
【請求項５】
前記音声出力部は、前記選択指示部において前記閉作動指示が選択された場合と前記閉施錠指示が選択された場合とで、異なる受付音を出力することを特徴とする請求項４記載の車両用ドア制御装置。
【請求項６】
前記ドア部材の車体に対する位置を全閉位置に保持する保持機構と、所定の施錠位置に移動することにより前記保持機構の作動をロック可能とする施錠用部材とを更に備え、
前記施錠用部材は、前記ドア部材の開閉状態に関わらず前記施錠位置に移動可能であり、
前記閉施錠指示があった場合、前記施錠用部材を前記施錠位置に移動させてから前記ドア部材の閉作動を行う、
ことを特徴とする請求項１から５のいずれか１項記載の車両用ドア制御装置。
【請求項７】
前記ドア部材の少なくとも一部は、当該ドア部材の開閉を補助する補助力を発生する開閉補助機構を有しており、
前記選択指示部は、前記開閉補助機構を有する前記ドア部材の車外側に設けられている、
ことを特徴とする請求項１から６のいずれか１項記載の車両用ドア制御装置。
【発明の詳細な説明】
【技術分野】
【０００１】
本発明は、車両の出入り口に設けられたドア部材の開閉を制御する車両用ドア制御装置に関する。
【背景技術】
【０００２】
従来、車両の出入り口に設けられたドア部材の開閉を補助するためのパワースライドドアシステム（開閉補助機能）が普及している。
例えば、下記特許文献１は、スマートキーシステムを備えた車両用ドア開閉補助装置に関する発明であり、車載アンテナから周囲に呼掛け信号を送信し、これに応答するスマートキーからの応答信号を受信して認証を行った上で、ドアの解錠スタンバイ状態に入る。その後ドアノブに加えられた力を検出すると、ドアを解錠し、ラッチを解除した上で、ドアノブに加えられた力に応じた力をドアの開閉を補助するために提供する。ドアノブに力が加えられない場合は補助力は提供されず、またドアが全開になる前にドアノブに加わる力がゼロになった場合は、その時点で補助力が提供されなくなる。
また、下記特許文献２は、ユーザが所定の操作を行うと、開状態である車両のドアを全閉にするとともに、全閉にしたドアを施錠する車両用制御装置において、所定の操作が検出されてから、ドアが完全に閉まるまでの間に、少なくともドアの開閉指示を出すことのできる携帯機が車両から所定範囲内に存在しないと判定されると、携帯機が車両から所定範囲内に存在しないことをユーザに報知する。
【先行技術文献】
【特許文献】
【０００３】
【特許文献１】特開２００５−５４４９４号公報
【特許文献２】特開２００８−８８７２０号公報
【発明の概要】
【発明が解決しようとする課題】
【０００４】
上述した従来技術によれば、ドア部材の閉作動と施錠とはそれぞれ異なる操作で行う必要がある。しかしながら、車両から乗員全員が下車して車両を離れる場合など、ドア部材の閉作動と施錠を同時期に行う場面は多くあり、操作性の点で改善の余地がある。上記文献２では、携帯機の１回の操作によりドア部材の閉作動および施錠を指示できる旨の記載があるが、車両の乗員全員が携帯機を有している訳ではないため操作を行うことができる者は限られ、また荷物を持っている場合など、携帯機での操作が煩雑な場合もある。
本発明は、このような事情に鑑みなされたものであり、その目的は、車両のドア部材の閉操作と施錠操作とを同時かつ容易に行うことができる車両用ドア制御装置を提供することにある。
【課題を解決するための手段】
【０００５】
上述の目的を達成するため、請求項１の発明にかかる車両用ドア制御装置は、車両の出入り口に設けられたドア部材の開閉を制御する車両用ドア制御装置であって、前記ドア部材の車外側に、前記ドア部材の閉作動を指示する閉作動指示と、前記ドア部材の閉作動および施錠を指示する閉施錠指示と、を選択的に指示可能な選択指示部を備えることを特徴とする。
請求項２の発明にかかる車両用ドア制御装置は、前記選択指示部は単一のスイッチを有し、前記スイッチの操作方法の違いにより前記閉作動指示および前記閉施錠指示を選択的に指示可能である、ことを特徴とする。
請求項３の発明にかかる車両用ドア制御装置は、前記スイッチの操作方法は前記スイッチの押下回数であり、前記選択指示部は、前記スイッチが１回押下された場合は前記閉作動指示が、前記スイッチを２回押下された場合は前記閉施錠指示が、それぞれ選択されたものとして指示を受け付ける、ことを特徴とする。
請求項４の発明にかかる車両用ドア制御装置は、前記閉作動指示がなされた場合の前記閉作動の実施中と、前記閉施錠指示がなされた場合の前記閉作動および前記施錠の実施中とで、異なる作動音を出力する音声出力部を更に備えることを特徴とする。
請求項５の発明にかかる車両用ドア制御装置は、前記音声出力部は、前記選択指示部において前記閉作動指示が選択された場合と前記閉施錠指示が選択された場合とで、異なる受付音を出力することを特徴とする。
請求項６の発明にかかる車両用ドア制御装置は、前記ドア部材の車体に対する位置を全閉位置に保持する保持機構と、所定の施錠位置に移動することにより前記保持機構の作動をロック可能とする施錠用部材とを更に備え、前記施錠用部材は、前記ドア部材の開閉状態に関わらず前記施錠位置に移動可能であり、前記閉施錠指示があった場合、前記施錠用部材を前記施錠位置に移動させてから前記ドア部材の閉作動を行う、ことを特徴とする。
請求項７の発明にかかる車両用ドア制御装置は、前記ドア部材の少なくとも一部は、当該ドア部材の開閉を補助する補助力を発生する開閉補助機構を有しており、前記選択指示部は、前記開閉補助機構を有する前記ドア部材の車外側に設けられている、ことを特徴とする。
【発明の効果】
【０００６】
請求項１の発明によれば、ドア部材の閉作動を指示する閉作動指示と、ドア部材の閉作動および施錠を指示する閉施錠指示と、を選択的に指示可能な選択指示部を備えるので、全てのドア部材が閉状態となってから施錠を受け付ける場合と比較して短時間で操作を終了することができ、また操作回数も１回で済むので、車両ドアの操作性を向上させる上で有利である。また、選択指示部はドア部材の車外側に設けられているので、例えば携帯機は保持していても荷物などで手がふさがっているユーザでも閉施錠指示を行うことが可能となり、利便性を向上させることができる。
請求項２の発明によれば、単一のスイッチの操作方法の違いにより閉作動指示および閉施錠指示を選択的に指示可能なので、別々の操作部を設ける場合と比較して車両のデザイン性が向上するとともに、部品点数が削減されて車両コストを低減する上でも有利である。
請求項３の発明によれば、スイッチが１回押下された場合は閉作動指示（閉作動の１ステップ処理）が、スイッチを２回押下された場合は閉施錠指示（閉作動＋施錠の２ステップ処理）が、それぞれ選択されたものとして指示を受け付けるので、操作に対応する指示内容をユーザが直感的に認識することができ、車両ドアの操作性を向上させる上で有利となる。
請求項４および５の発明によれば、閉作動指示がなされた場合と閉施錠指示がなされた場合とで、異なる作動音や受付音を出力するので、ユーザが自身が行った操作が意図通りの操作か否かを確認する上で有利となる。特に、施錠動作はユーザからは見えないドア部材内部で行われるため、閉作動指示後の車両の動きと閉施錠指示後の車両の動きは同じように見える。このため、閉作動中に指示内容に対応する音声を出力することによってユーザに安心感を与えることができる。
請求項６の発明によれば、ドア部材の閉作動を行う前に施錠を行うことができるので、全閉状態にある他のドア部材の施錠を迅速に行うことができ、利便性を向上させることができる。
請求項７の発明によれば、開閉補助機構を用いてドア部材を閉作動させる際に、同時に施錠指示を行うことが可能となり、車両ドアの操作性を向上させる上で有利である。
【図面の簡単な説明】
【０００７】
【図１】実施の形態にかかる車両用ドア制御装置１０が搭載された車両２０の外観図である。
【図２】キーレスオペレーションキー５０の外観を示す説明図である。
【図３】車両用ドア制御装置１０の構成を示すブロック図である。
【図４】選択指示部３００に対する操作があった際の車両用ドア制御装置１０の処理を示すフローチャートである。
【図５】（Ａ）、（Ｂ）、（Ｃ）はラッチ部の説明図である。
【図６】（Ａ）〜（Ｄ）はリンク機構を構成するレバーの説明図である。
【図７】（Ａ）、（Ｂ）はロックレバーがロック位置に位置した状態でハンドルレバーとコントロールレバーが揺動してもオープンレバーが揺動しない説明図である。
【図８】（Ａ）、（Ｂ）はロックレバーがロック解除位置に位置した状態でハンドルレバーとコントロールレバーが揺動しオープンレバーが揺動する説明図である。
【発明を実施するための形態】
【０００８】
以下に添付図面を参照して、本発明にかかる車両用ドア制御装置の好適な実施の形態を詳細に説明する。
図１は、実施の形態にかかる車両用ドア制御装置１０が搭載された車両２０の外観図であり、図１（Ａ）は側面図、図１（Ｂ）および図１（Ｃ）は後面斜視図である。
車両２０には、フロントシート（運転席や助手席）への搭乗の際に用いる前部座席用ドア部材２２、セカンドシートやサードシートへの搭乗の際に用いる後部座席用ドア部材２４、車両後部のラゲッジスペースを使用する際に用いるテールゲート用ドア部材２６が設けられている。
前部座席用ドア部材２２は、車両前側２２Ａをヒンジにより車体に取り付けられ、ヒンジを中心に車幅方向に揺動して開閉するヒンジドアである。また、後部座席用ドア部材２４は、車両前後方向に移動して開閉するスライドドアである。また、テールゲート用ドア部材２６は、車両上側２６Ａをヒンジにより車体に取り付けられ、ヒンジを中心に上下方向に揺動して開閉するヒンジドアである。
【０００９】
これらドア部材のうち、後部座席用ドア部材２４およびテールゲート用ドア部材２６は、ドア部材の開閉を補助する補助力を発生する開閉補助機構７０（図３参照）を有しており、開閉補助機能（いわゆるパワースライドドアシステム（後部座席用ドア部材２４）またはエレクトリックテールゲートシステム（テールゲート用ドア部材２６））を搭載している。
【００１０】
また、車両２０には、各ドア部材の開閉および施錠のための操作部３０が設けられている。
前部座席用ドア部材２２および後部座席用ドア部材２４には、それぞれドア部材を開閉するためのドアハンドル３２およびドアスイッチ３４が設けられている。前部座席用ドア部材２２を車外から開放する際は、ドアハンドル３２を手前（車体から遠ざける方向）に引いてラッチ機構６０Ａ（図５参照）の嵌合を解除して、ドア部材を車幅方向外側に揺動させる。前部座席用ドア部材２２を車外から閉鎖する際は、ドア部材を車幅方向内側に揺動させてラッチ機構６０Ａが嵌合する閉鎖位置まで移動させる。
また、後部座席用ドア部材２４を車外から開閉する際には、ドアハンドル３２を所定の位置まで手前に引く、もしくはドアスイッチ３４を１回押下することによって、パワースライドドアシステムが作動し、自動的にドア部材が開閉する。なお、パワースライドドアシステムがオフになっている場合等は、ドアハンドル３２をつかんでドア部材を車両前後方向に移動させることによりドア部材を開閉することも可能である。
また、後述するキーレスオペレーションキー５０を保持したユーザが全てのドア部材が閉じた状態で前部座席用ドア部材２２のドアスイッチ３４を押下することによりドア部材を施錠することができる。また、ドア部材が施錠された状態で前部座席用ドア部材２２または後部座席用ドア部材２４のドアスイッチ３４を押下すると施錠を解除することができる。
【００１１】
テールゲート用ドア部材２６には、ナンバープレート４０周辺にオープンスイッチ４２およびロックスイッチ４４が設けられている。テールゲート用ドア部材２６を車外から開放する際は、オープンスイッチ４２を１回押下することによって、エレクトリックテールゲートシステムが作動し、自動的にドア部材が開放する。なお、エレクトリックテールゲートシステムがオフになっている場合等は、オープンスイッチ４２を押下した後ドア部材を車両上方向に引き上げることによりドア部材を開放させることも可能である。
また、後述するキーレスオペレーションキー５０を保持したユーザが全てのドア部材が閉じた状態でロックスイッチ４４を押下することによりドア部材を施錠することができ、ドア部材が施錠された状態でロックスイッチ４４を押下すると施錠を解除することができる。
さらに、図１（Ｃ）に示すように、テールゲート用ドア部材２６が開放された際に露出する下端部２６Ｂには、クローズスイッチ４６が設けられている。テールゲート用ドア部材２６を閉鎖する際は、クローズスイッチ４６を１回押下することによって、エレクトリックテールゲートシステムが作動し、自動的にドア部材が閉鎖する。
【００１２】
また、この他各ドア部材の開閉および施錠のための操作部３０として、図２に示すキーレスオペレーションキー５０が設けられている。
キーレスオペレーションキー５０は、ロックスイッチ５２、アンロックスイッチ５４、テールゲートスイッチ５６、電動スライドドアスイッチ５８（５８Ａ（右側ドア用），５８Ｂ（左側ドア用））が設けられており、車両２０から所定距離以内で各スイッチを操作することにより、各ドア部材の開閉や施錠が可能となる。
すなわち、全てのドア部材が閉じた状態でロックスイッチ５２を押下するとドア部材が施錠され、ドア部材が施錠された状態でアンロックスイッチ５４を押下すると施錠が解除される。
また、テールゲート用ドア部材２６が閉鎖されている状態でテールゲートスイッチ５６を例えば２秒間に２回押下するとエレクトリックテールゲートシステムによりテールゲート用ドア部材２６が開放され、テールゲート用ドア部材２６が開放されている状態でテールゲートスイッチ５６を押下するとエレクトリックテールゲートシステムによりテールゲート用ドア部材２６が閉鎖される。
また、後部座席用ドア部材２４が閉鎖されている状態で電動スライドドアスイッチ５８Ａまたは５８Ｂを押下すると、押下したスイッチに対応する側の後部座席用ドア部材２４がパワースライドドアシステムにより開放され、後部座席用ドア部材２４が開放されている状態で電動スライドドアスイッチ５８Ａまたは５８Ｂを押下すると、押下したスイッチに対応する側の後部座席用ドア部材２４がパワースライドドアシステムにより閉鎖される。
【００１３】
この他、各ドア部材の車室側や運転席周辺にも、各ドア部材の開閉および施錠のための操作部３０が設けられているが、車両用ドア制御装置１０の処理とは関連しないため詳細な説明は省略する。
なお、実際にパワースライドドアシステムやエレクトリックテールゲートシステム（開閉補助機能）を用いてドア部材を開閉する際には、例えば開閉補助機能が有効になっているか、車両が停車状態にあるか、ドア部材と車体との間に障害物が存在していないか等の判断が行われる。
【００１４】
図３は、車両用ドア制御装置１０の構成を示すブロック図である。
車両用ドア制御装置１０は、車両２０の出入り口に設けられたドア部材（前部座席用ドア部材２２、後部座席用ドア部材２４、テールゲート用ドア部材２６）の開閉を制御する。
上述のように、車両２０のドア部材のうち後部座席用ドア部材２４およびテールゲート用ドア部材２６には、ドア部材の開閉を補助する補助力を発生する開閉補助機構７０を有している。開閉補助機構７０は、ドア本体に取り付けられたワイヤーやワイヤーも巻き取りや繰り出しを行うアクチュエータなどを備え、ドアハンドル３２やドアスイッチ３４、キーレスオペレーションキー５０などの操作に対応して後部座席用ドア部材２４やテールゲート用ドア部材２６を開閉させる。
また、各ドア部材２２，２４，２６には、それぞれ開閉センサ７２および施錠用部材であるロックレバー６８が設けられている。開閉センサ７２は、各ドア部材２２，２４，２６の開閉状態（例えば、各ドア部材２２，２４，２６が全閉状態にあるか、それ以外の状態（開状態）にあるか）を検知する。
【００１５】
車両ＥＣＵ８０は、ＣＰＵ、制御プログラムなどを格納・記憶するＲＯＭ、制御プログラムの作動領域としてのＲＡＭ、各種データを書き換え可能に保持するＥＥＰＲＯＭなどの記憶部、周辺回路等とのインターフェースをとるインターフェース部などを含んで構成される。
車両ＥＣＵ８０は、上記ＣＰＵが上記制御プログラムを実行することにより、ドア制御部８０２および音声出力部８０４として機能する。
ドア制御部８０２は、操作部３０への操作に対応して、各ドア部材の開閉および施錠を実行する。ドア制御部８０２は、例えば開閉補助機構７０を有するドア部材の開放または閉鎖の指示があった場合には、開閉補助機構７０を作動させて当該ドア部材を開放または閉鎖させる。また、ドア部材の施錠または開錠の指示があった場合には、図示しないアクチュエータによりロックレバー６８の位置をロック位置またはロック解除位置に移動させる。ロックレバー６８の詳細については後述する。
【００１６】
音声出力部８０４は、ドア制御部８０２の処理（例えば操作部３０からの操作入力の受付や各ドア部材の開閉・施錠の作動）に対応する音声をスピーカ７６から出力させる。本実施の形態では、音声出力部８０４は、主に「ピー」や「ピッピッ」などのビープ音をスピーカ７６から出力させる。
【００１７】
操作部３０は、各ドア部材の開閉および施錠を指示する操作を行うために設けられている。操作部３０は、上述のように、前部座席用ドア部材２２および後部座席用ドア部材２４にそれぞれ設けられたドアハンドル３２およびドアスイッチ３４、テールゲート用ドア部材２６に設けられたオープンスイッチ４２、ロックスイッチ４４およびクローズスイッチ４６、キーレスオペレーションキー５０等である。
【００１８】
ここで、操作部３０のうち一部は、ドア部材の閉作動を指示する閉作動指示と、ドア部材の閉作動および施錠を指示する閉施錠指示と、を選択的に指示可能な選択指示部３００として機能する。閉作動指示とは、開状態にあるドア部材を全閉位置まで移動させるように指示するものであり、閉施錠指示とは、開状態にあるドア部材を全閉位置まで移動させるとともに車両２０の全ドア部材の施錠を指示するものである。
本実施の形態では、選択指示部３００は、パワースライドドアシステムにより閉作動可能な後部座席用ドア部材２４のドアスイッチ３４、およびエレクトリックテールゲートシステムにより閉作動可能なテールゲート用ドア部材２６のクローズスイッチ４６であるものとする。すなわち、選択指示部３００は、開閉補助機構７０を有するドア部材の車外側に設けられているものとする。
【００１９】
選択指示部３００である後部座席用ドア部材２４のドアスイッチ３４およびテールゲート用ドア部材２６のクローズスイッチ４６は、それぞれ単一のスイッチである。このため、スイッチの操作方法の違いにより閉作動指示および閉施錠指示を選択的に指示可能としている。
このスイッチの操作方法とは例えばスイッチの押下回数であり、スイッチが１回押下された場合は閉作動指示が、スイッチを２回押下された場合は閉施錠指示が、それぞれ選択されたものとして指示を受け付ける。これは、閉作動指示は閉作動という１ステップの処理を指示するものであり、閉施錠指示は閉作動＋施錠という２ステップの処理を指示するものであり、このステップ数をスイッチの操作回数と結びつけることによって、操作に対応する指示内容をユーザが直感的に認識できるようにするためである。
【００２０】
閉作動指示があった場合、ドア制御部８０２は、開閉補助機構７０を作動させて開放中のドア部材を全閉位置に移動させる。
また、閉施錠指示があった場合、ドア制御部８０２は、まず施錠用部材であるロックレバー６８をロック位置（施錠位置）に移動させ、その後開閉補助機構７０を作動させて開放中のドア部材を全閉位置に移動させる。このように、ドア部材の閉作動を行う前に施錠を行うことにより、全閉状態にある他のドア部材の施錠を迅速に行うことができ、利便性を向上させることができる。なお、例えば、何らかの原因でドア部材の閉作動が中止された場合は、他のドア部材の施錠用部材はロック解除位置に戻され、解錠状態とされる。
【００２１】
また、音声出力部８０４は、選択指示部３００において閉作動指示が選択された場合と閉施錠指示が選択された場合とで、異なる受付音を出力する。具体的には、例えば閉作動指示が選択された場合には、指示された処理内容が１アクション（閉作動のみ）であるため「ピー」という受付音を出力する。また、閉施錠指示が選択された場合には、指示された処理内容が２アクション（閉作動＋施錠）であるため「ピッピッ」という受付音を出力する。
また、音声出力部８０４は、閉作動指示がなされた場合の閉作動の実施中と、閉施錠指示がなされた場合の閉作動および施錠の実施中とで、異なる作動音を出力する。具体的には、例えば閉作動指示が選択された場合には、指示された処理内容が１アクション（閉作動のみ）であるため「ピー・ピー」という作動音を出力する。また、閉施錠指示が選択された場合には、指示された処理内容が２アクション（閉作動＋施錠）であるため「ピッピッ・ピッピッ」という作動音を出力する。すなわち、アクション項目の数に対応する作動音を出力する。
これは、ユーザが自身が行った操作が意図通りの操作か否かを確認できるようにするためである。特に、施錠動作はユーザからは見えないドア部材内部で行われるので、閉作動指示後の車両の動きと閉施錠指示後の車両の動きは同じように見える。このため、閉作動中に指示内容に対応する音声を出力することによってユーザに安心感を与えることができる。
【００２２】
ここで、ドア部材の開閉／施錠機構であるドアロック部の詳細構成について説明する。
図５、図７に示すように、ドアロック部６０は、ラッチ機構６０Ａとリンク機構６０Ｂとを含んで構成されている。
図５（Ａ）に示すように、ラッチ機構６０Ａは、ストライカ６１と、フォーク６２と、ポールレバー６３と、オープンレバー６４とを含んで構成され、ドア部材の車体に対する位置を全閉位置に保持する保持機構として機能する。
ストライカ６１は車体側に設けられ、フォーク６２とポールレバー６３とオープンレバー６４はドア部材側に設けられている。
フォーク６２にはストライカ６１に係合する係合溝６２０２が設けられている。
フォーク６２は支軸６２０１を支点に図５（Ａ）に示すロック位置と、図５（Ｂ）に示す開放位置との間で揺動可能であり、不図示のスプリングにより開放位置に付勢されている。
【００２３】
ポールレバー６３は支軸６３０１を支点として図５（Ａ）に示す規制位置と、図５（Ｂ）に示す規制解除位置との間で揺動可能であり、不図示のスプリングにより規制位置に付勢されている。
ポールレバー６３は規制位置において、係合部６３０２がフォーク６２に係合し、フォーク６２のロック位置を維持する。
また、図５（Ａ）、（Ｂ）に示すように、規制位置においてポールレバー６３の係合部６３０２がオープンレバー６４により移動されることにより、ポールレバー６３は規制位置から規制解除位置に揺動し、フォーク６２のロック位置から開放位置への揺動を許容する。
【００２４】
オープンレバー６４は、支軸６４０１を支点として図５（Ａ）に示す待機位置と、図５（Ｂ）に示す作動位置との間で揺動可能であり、不図示のスプリングにより待機位置に付勢されている。
オープンレバー６４は待機位置において、オープンレバー６４の一端６４０２がポールレバー６３の係合部６３０４に係合しており、作動位置において、ポールレバー６３を規制解除位置に揺動させる。
【００２５】
リンク機構６０Ｂは、ドア部材に設けられている。
リンク機構６０Ｂは、図６（Ａ）〜（Ｄ）に示すように、オープンレバー６５と、ハンドルレバー６６と、コントロールレバー６７と、ロックレバー６８とを含んで構成され、オープンレバー６５、ハンドルレバー６６、コントロールレバー６７は共通の支軸６９を支点に揺動し、ロックレバー６８は支軸６８０１を支点に揺動する。
【００２６】
図６（Ａ）に示すように、オープンレバー６５の一端はケーブルＣ１を介してラッチ機構６０Ａのオープンレバー６４に連結されている。
図６（Ｂ）に示すように、ハンドルレバー６６の係合溝６６０２に、ケーブルＣ２を介してドアハンドル３２に連結された係合ピン６６０４が係合し、ケーブルＣ２は不図示のドアハンドル用アクチュエータに連結されている。
図６（Ｃ）に示すように、コントロールレバー６７に、ハンドルレバー６６の係合部６６０６に係合可能な係合ピン６７０２が設けられている。
また、コントロールレバー６７には、ロック解除領域６７０４Ａとロック領域６７０４Ｂとを有する係合溝６７０４が設けられている。
図６（Ａ）、（Ｃ）、（Ｄ）に示すように、オープンレバー６５の係合溝６５０２と、コントロールレバー６７の係合溝６７０４と、ロックレバー６８の係合溝６８０２とにわたって係合ピン６８０４が係合している。
ロックレバー６８は、不図示の施錠用アクチュエータにより図７（Ａ）に示すロック位置と図８（Ａ）に示すロック解除位置との間で揺動する。ロックレバー６８の揺動は、車両ＥＣＵ８０（ＥＴＡＣＳ）からの信号（施錠信号／開錠信号）により制御される。すなわち、ドア制御部８０２から施錠信号が出力された場合には施錠用アクチュエータにより図７（Ａ）に示すロック位置に移動され、ドア制御部８０２から開錠信号が出力された場合には施錠用アクチュエータにより図８（Ａ）に示すロック解除位置に移動される。すなわち、ロックレバー６８は、所定の施錠位置（ロック位置）に移動することにより保持機構であるラッチ機構６０Ａの作動をロック可能とする施錠用部材であり、ロックレバー６８は、ドア部材の開閉状態に関わらず施錠位置（ロック位置）に移動可能である。
【００２７】
（ドア部材が全閉位置に位置しロックされているロック状態（施錠状態））
ドア部材のロック状態では、ラッチ機構６０Ａは図５（Ａ）に示す状態となっており、リンク機構６０Ｂは図７（Ａ）に示す状態となっている。
すなわち、ラッチ機構６０Ａにおいて、フォーク６２はロック位置に位置し、ポールレバー６３は規制位置に位置し、ドアの全閉状態が維持される。
また、リンク機構６０Ｂにおいて、ロックレバー６８は施錠用アクチュエータの作動によりロック位置に位置している。また、オープンレバー６５と、ハンドルレバー６６と、コントロールレバー６７とは待機位置に位置している。
この状態で図７（Ａ）に示すように、係合ピン６８０４は、ロックレバー６８の係合溝６８０２によりコントロールレバー６７の係合溝６７０４のロック領域６７０４Ｂに位置し、係合溝６８０２とロック領域６７０４Ｂとが略同一の方向に延在した状態となる。また、ロックレバー６８の係合溝６８０２とオープンレバー６５の係合溝６５０２とは略直交する方向に延在した状態となる。
したがって、操作部３０に対してドア開放操作がなされ、ドアハンドル用アクチュエータによりハンドルレバー６６が揺動されても、図７（Ｂ）に示すように、係合部６６０６、係合ピン６７０２を介してコントロールレバー６７が揺動するものの、係合ピン６８０４が相対的にロック領域６７０４Ｂ内を移動するのみで、オープンレバー６５は待機位置に維持され、ラッチ機構６０Ａのオープンレバー６４を待機位置から作動位置に揺動させることはなく、したがって、ドアの全閉位置が維持される。
また、ドアハンドル３２を操作しても、前記と同様に、コントロールレバー６７が揺動するものの、オープンレバー６５は待機位置に維持される。
すなわち、施錠用部材であるロックレバー６８がロック位置（施錠位置）に移動することにより保持機構であるラッチ機構６０Ａの作動をロック可能とする。
【００２８】
（ドアが全閉位置に位置しロックされていないアンロック状態（開錠状態））
リンク機構６０Ｂが施錠状態にある際に、車両ＥＣＵ８０のドア制御部８０２から開錠信号が出力されると、施錠用アクチュエータが動作しロックレバー６８が図８（Ａ）に示すように、ロック位置からロック解除位置に揺動する。
ロックレバー６８のロック解除位置への揺動により、係合ピン６８０４は、ロックレバー６８の係合溝６８０２によりコントロールレバー６７の係合溝６７０４のロック解除領域６７０４Ａに位置し、係合溝６８０２は、支軸６９を中心とした円周上で係合ピン６８０４を含んだ箇所の接線方向に延在する。すなわち、係合ピン６８０４、係合溝６７０４のロック解除領域６７０４Ａ、係合溝６５０２を介してコントロールレバー６７およびオープンレバー６５の揺動が許容された状態となる。
したがって、ドア開閉スイッチを押すと、図８（Ａ）、（Ｂ）に示すように、ドアハンドル用アクチュエータによりハンドルレバー６６がケーブルＣ２、係合ピン６６０４を介して待機位置から揺動し、このハンドルレバー６６の揺動により係合部６６０６、係合ピン６７０２を介してコントロールレバー６７が待機位置から揺動する。
このコントロールレバー６７の揺動により係合ピン６８０４、係合溝６７０４（ロック解除領域６７０４Ａ）、６５０２を介して、オープンレバー６５が待機位置から揺動する。
図５（Ａ）、（Ｂ）に示すように、オープンレバー６５の揺動はケーブルＣ１を介してラッチ機構６０Ａのオープンレバー６４に伝達され、オープンレバー６４を揺動し、オープンレバー６４の一端６４０２、ポールレバー６３の係合部６３０４を介してポールレバー６３を規制位置から規制解除位置に揺動させる。
これによりフォーク６２は不図示のスプリングにより開放位置となり、ドアが開放可能な状態となる。
また、ドアハンドル３２を操作しても、前記と同様に、ハンドルレバー６６、コントロールレバー６７を介してオープンレバー６５が揺動し、ケーブルＣ１、オープンレバー６４を介してポールレバー６３を規制位置から規制解除位置に揺動させる。
ここで、ドア制御部８０２からの信号によりドア開閉用アクチュエータ（開閉補助機構７０）が動作し、ドアが全閉位置から開放位置にスライドする。
【００２９】
ドアが開放位置に位置すると、ケーブルＣ２を作動させるドアハンドル用アクチュエータは非作動状態となり、ラッチ機構６０Ａにおいて図５（Ｃ）に示すようにオープンレバー６４は不図示のスプリングにより待機位置となり、不図示のスプリングによりフォーク６２は開放位置に維持される。
また、ラッチ機構６０Ａのオープンレバー６４が待機位置となることにより、リンク機構６０Ｂにおいて、ケーブルＣ１を介してオープンレバー６５は待機位置となる。
また、ドアハンドル３２あるいはドアハンドル用アクチュエータは非作動状態であることから、ハンドルレバー６６は待機位置となり、係合ピン６７０２を介してコントロールレバー６７も待機位置となる。
【００３０】
（閉作動指示時）
いずれかのドア部材が開放位置にある際に操作部３０に対して当該ドア部材のドア閉操作（閉作動指示）がなされると、ドア制御部８０２からの信号によりドア開閉用アクチュエータ（開閉補助機構７０）が動作しドア部材が開放位置から全閉位置にスライドする。
ラッチ機構６０Ａでは、図５（Ｃ）、（Ａ）に示すように、ドアの全閉位置への移動に伴って開放位置となったフォーク６２の係合溝６２０２にストライカ６１が進入していき、フォーク６２はストライカ６１により開放位置からロック位置に揺動する。
そして、このフォーク６２のロック位置はポールレバー６３およびオープンレバー６４により維持される。
リンク機構６０Ｂでは、図８（Ａ）に示すように、ロックレバー６８がロック解除位置に位置しており、この状態でドアは全閉位置となる。
【００３１】
（閉施錠指示時）
開閉補助機構７０を有するドア部材が１枚だけ開放された状態で選択指示部３００が２度押しされ、閉施錠指示がなされると、ドア制御部８０２は、まずリンク機構６０Ｂのロックレバー６８（施錠用部材）を施錠用アクチュエータによりロック解除位置からロック位置に揺動させる。
図７（Ａ）に示すように、ロックレバー６８のロック解除位置からロック位置への揺動により、係合ピン６８０４はコントロールレバー６７のロック領域６７０４Ｂに移動される。
つづいて、ドア制御部８０２からの信号によりドア開閉用アクチュエータが動作しドアが開放位置から全閉位置にスライドする。
ラッチ機構６０Ａでは、ドアの全閉位置への移動に伴って開放位置となったフォーク６２の係合溝６２０２にストライカ６１が進入していき、フォーク６２はストライカ６１により開放位置からロック位置に揺動する。
そして、このフォーク６２のロック位置はポールレバー６３およびオープンレバー６４により維持される。
図７（Ａ）に示すように、ドアが全閉位置に位置した状態でロックレバー６８がロック位置に位置し、係合ピン６８０４がコントロールレバー６７のロック領域６７０４Ｂに位置しているため、ドア開閉スイッチを押し、アクチュエータによりハンドルレバー６６が揺動されても、図７（Ｂ）に示すように、係合部６６０６、係合ピン６７０２を介してコントロールレバー６７が揺動するものの、係合ピン６８０４が相対的にロック領域６７０４Ｂ内を移動するのみで、オープンレバー６５は待機位置に維持され、ラッチ機構６０Ａのオープンレバー６４をロック位置から開放位置に揺動させることはなく、したがって、ドアの全閉位置が維持される。
また、ドアハンドルを操作しても、前記と同様に、コントロールレバー６７が揺動するものの、オープンレバー６５は待機位置に維持される。
このように、施錠用部材であるロックレバー６８は、ドア部材の開閉状態に関わらずロック位置（施錠位置）に移動可能であり、閉施錠指示があった場合にロックレバー６８をロック位置に移動させてからドア部材の閉作動を行うことが可能である。
なお、ドアロック部６０には従来公知の様々な構成が採用可能であり、上記の実施の形態に限定されない。
【００３２】
図４は、選択指示部３００に対する操作があった際の車両用ドア制御装置１０の処理を示すフローチャートである。
ドア制御部８０２は、車両２０のドア部材のうち、開閉補助機能を有するドア部材（後部座席用ドア部材２４およびテールゲート用ドア部材２６）のうち１枚のみが開状態である場合（ステップＳ４００：Ｙｅｓ）、開状態のドア部材に設けられた選択指示部３００が操作されたか否かを判断する（ステップＳ４０２）。
【００３３】
開状態のドア部材に設けられた選択指示部３００が操作された場合（ステップＳ４０２：Ｙｅｓ）、ドア制御部８０２は、選択指示部３００を操作したユーザがキーレスオペレーションキー５０を保持しているか否か、すなわちキーレスオペレーションキー５０が検知範囲内にあるか否かを判断する（ステップＳ４０３）。
選択指示部３００を操作したユーザがキーレスオペレーションキー５０を保持していない場合は（ステップＳ４０３：Ｎｏ）、操作を受け付けずにステップＳ４００に戻り以降の処理をくり返す。この時、音声出力部８０４により操作を受け付けられないことを示すエラー音を出力するようにしてもよい。
【００３４】
選択指示部３００を操作したユーザがキーレスオペレーションキー５０を保持している場合は（ステップＳ４０３：Ｙｅｓ）、ドア制御部８０２は、選択指示部３００への操作回数（スイッチの押下回数）を判断する。
選択指示部３００が２回押下された場合（ステップＳ４０４：Ｙｅｓ）、ドア制御部８０２は、ドア部材の閉作動および施錠を指示する閉施錠指示として受け付け、音声出力部８０４はスピーカ７６から「ピッピッ」という受付音を出力させる（ステップＳ４０６）。
また、ドア制御部８０２は、（施錠）
選択指示部３００が１回押下された場合（ステップＳ４０４：Ｎｏ、ステップＳ４１０：Ｙｅｓ）、ドア制御部８０２は、ドア部材の閉作動を指示する閉作動指示として受け付け、音声出力部８０４はスピーカ７６から「ピー」という受付音を出力させる（ステップＳ４１２）。
そして、ドア制御部８０２は、開状態のドア部材の開閉補助機構７０を駆動して、ドア部材を全閉位置方向へと移動させる。この間、音声出力部８０４はスピーカ７６から動作音を出力させる（ステップＳ４１４）。動作音は、閉施錠指示時には「ピッピッ・ピッピッ」、閉作動指示時には「ピー・ピー」である。
ドア部材が全閉位置となるまでは（ステップＳ４１６：Ｎｏのループ）、ステップＳ４１４に戻り開閉補助機構７０の駆動および動作音の出力を継続し、ドア部材が全閉位置になると（ステップＳ４１６：Ｙｅｓ）、本フローチャートの処理を終了する。
【００３５】
なお、ステップＳ４１６で開閉補助機構７０の駆動中に以下の１）〜５）のような事象が検知された場合、ドア制御部８０２は、開閉補助機構７０の駆動を停止する。
１）ドアへの挟まれが検知された場合、２）ドア部材が閉まり切らなかった場合（開閉補助機構７０の駆動を開始してから所定時間以上経過してもドア部材が全閉位置に到達しない場合）、３）ユーザから開作動を指示する操作があった場合（例えば選択指示部３００への再度の操作やキーレスオペレーションキー５０への操作）、４）ユーザが手動でドア部材を開放した場合、５）車内にキーレスオペレーションキー５０があることを検知した場合。
また、ステップＳ４１０で選択指示部３００への操作回数が２回または１回以外の場合には、誤操作等であるものとして操作をキャンセルしてステップＳ４００に戻る。この時、音声出力部８０４により操作回数に誤りがあることを示すエラー音を出力するようにしてもよい。
【００３６】
以上説明したように、実施の形態にかかる車両用ドア制御装置１０は、ドア部材の閉作動を指示する閉作動指示と、ドア部材の閉作動および施錠を指示する閉施錠指示と、を選択的に指示可能な選択指示部３００を備えるので、全てのドア部材が閉状態となってから施錠を受け付ける場合と比較して短時間で操作を終了することができ、また操作回数も１回で済むので、車両ドアの操作性を向上させる上で有利である。
また、選択指示部３００はドア部材の車外側に設けられているので、例えばキーレスオペレーションキー５０は保持していても荷物などで手がふさがっているユーザでも閉施錠指示を行うことが可能となり、利便性を向上させることができる。
また、車両用ドア制御装置１０は、単一のスイッチの操作方法の違いにより閉作動指示および閉施錠指示を選択的に指示可能なので、別々の操作部を設ける場合と比較して車両２０のデザイン性が向上するとともに、車両コストを低減する上でも有利である。
また、車両用ドア制御装置１０は、スイッチが１回押下された場合は閉作動指示（閉作動の１ステップ処理）が、スイッチを２回押下された場合は閉施錠指示（閉作動＋施錠の２ステップ処理）が、それぞれ選択されたものとして指示を受け付けるので、操作に対応する指示内容をユーザが直感的に認識することができ、車両ドアの操作性を向上させる上で有利となる。
また、車両用ドア制御装置１０は、閉作動指示がなされた場合と閉施錠指示がなされた場合とで、異なる作動音や受付音を出力するので、ユーザが自身が行った操作が意図通りの操作か否かを確認する上で有利となる。特に、施錠動作はユーザからは見えないドア部材内で行われるため、閉作動指示後の車両の動きと閉施錠指示後の車両の動きは同じように見える。このため、閉作動中に指示内容に対応する音声を出力することによってユーザに安心感を与えることができる。
また、車両用ドア制御装置１０は、ドア部材の閉作動を行う前に施錠を行うことができるので、全閉状態にある他のドア部材の施錠を迅速に行うことができ、利便性を向上させることができる。なお、例えば、何らかの原因でドア部材の閉作動が中止された場合には、他のドア部材の施錠は解除され、解錠状態となる。
【００３７】
なお、本実施の形態では、閉作動指示と閉施錠指示とを識別する操作方法の違いとしてスイッチの押下回数を例にして説明したが、これに限らず、例えばスイッチの押下時間や押下強度（例えば選択指示部３００がタッチパネルである場合のタッチ強度）の違いなどによって識別してもよい。
また、本実施の形態では、ドア部材に設けられたスイッチを選択指示部３００とした場合を例にして説明したが、キーレスオペレーションキー５０のスイッチ（特に電動スライドドアスイッチ５８Ａ・５８Ｂ、テールゲートスイッチ５６）を用いて閉作動指示と閉施錠指示とを選択的に指示可能としてもよいことは無論である。
【符号の説明】
【００３８】
１０  車両用ドア制御装置
２０  車両
２２  前部座席用ドア部材
２４  後部座席用ドア部材
２６  テールゲート用ドア部材
３０  操作部
３００  選択指示部
３２  ドアハンドル
３４  ドアスイッチ
４２  オープンスイッチ
４４  ロックスイッチ
４６  クローズスイッチ
５０  キーレスオペレーションキー
６０  ドアロック部
６０Ａ  ラッチ機構（保持機構）
６０Ｂ  リンク機構
６８  ロックレバー（施錠用部材）
７０  開閉補助機構
７２  開閉センサ
７６  スピーカ
８０  車両ＥＣＵ
８０２  ドア制御部
８０４  音声出力部
【図１】
2018145643.tif 000003
【図２】
2018145643.tif 000004
【図３】
2018145643.tif 000005
【図４】
2018145643.tif 000006
【図５】
2018145643.tif 000007
【図６】
2018145643.tif 000008
【図７】
2018145643.tif 000009
【図８】
2018145643.tif 000010